(57)【要約】【課題】ｅ文書法に対応し、電子化された税務帳票などの、加筆修正箇所の特定や真贋判定などの効率を向上させることができる画像表示システム及び方法、画像読取装置、画像表示プログラム及び記憶媒体を提供する。【解決手段】画像処理部１０３は、ＣＰＵなどから構成される制御部５０１と、画像読取部１０２の原稿照明ランプを制御する照明制御部５０２とを備える。制御部５０１は、２本のランプの光量バランスが同等の第１の照明モードをセットし、２本のランプの光量バランスが異なる第２の照明モードをセットし、第１、第２の照明モードで読み取った画像の差分から原稿の立体情報を抽出し、抽出された立体情報を伝送する。【選択図】図６
2007288580.tif 000002
【特許請求の範囲】
【請求項１】
画像読取装置とホスト装置が接続される画像表示システムにおいて、
前記画像読取装置の２本の原稿照明ランプの光量バランスが同等の第１の照明モードをセットする第１の照明モードセット手段と、
前記画像読取装置の前記２本の原稿照明ランプの光量バランスが異なる第２の照明モードをセットする第２の照明モードセット手段と、
前記第１、第２の照明モードセット手段で読み取った画像の差分から原稿の立体情報を抽出するための差分演算手段と、
抽出された前記立体情報を伝送する伝送手段と、
原稿画像とともに前記立体情報を強調表示する立体情報強調表示手段と、
を備えたことを特徴とする画像表示システム。
【請求項２】
請求項１記載の画像表示システムを構成し、前記第１の照明モードセット手段と、前記第２の照明モードセット手段と、前記差分演算手段と、前記伝送手段とを備えることを特徴とする画像読取装置。
【請求項３】
画像読取装置とホスト装置が接続される画像表示システムの画像表示方法において、
前記画像読取装置の２本の原稿照明ランプの光量バランスが同等の第１の照明モードをセットする第１の照明モードセットステップと、
前記画像読取装置の前記２本の原稿照明ランプの光量バランスが異なる第２の照明モードをセットする第２の照明モードセットステップと、
前記第１、第２の照明モードセット手段で読み取った画像の差分から原稿の立体情報を抽出するための差分演算ステップと、
抽出された前記立体情報を伝送する伝送ステップと、
原稿画像とともに前記立体情報を強調表示する立体情報強調表示ステップと、
を備えたことを特徴とする画像表示方法。
【請求項４】
画像読取装置とホスト装置が接続される画像表示システムの画像表示プログラムにおいて、
前記画像読取装置の２本の原稿照明ランプの光量バランスが同等の第１の照明モードをセットする第１の照明モードセットモジュールと、
前記画像読取装置の前記２本の原稿照明ランプの光量バランスが異なる第２の照明モードをセットする第２の照明モードセットモジュールと、
前記第１、第２の照明モードセット手段で読み取った画像の差分から原稿の立体情報を抽出するための差分演算モジュールと、
抽出された前記立体情報を伝送する伝送モジュールと、
原稿画像とともに前記立体情報を強調表示する立体情報強調表示モジュールと、
をコンピュータに実行させることを特徴とする画像表示プログラム。
【請求項５】
請求項４記載の画像表示プログラムを格納するコンピュータ読み取り可能な記憶媒体。
【発明の詳細な説明】
【技術分野】
【０００１】
本発明は、画像表示システム及び方法、画像読取装置、画像表示プログラム及び記憶媒体に関する。
【背景技術】
【０００２】
２００５年から施行されるｅ文書法に対応し、電子化された税務帳票などの、加筆修正箇所の特定や真贋判定などのサポートをすることができる画像読取装置及び画像表示システムへの要求が高まってきた。
【０００３】
このような要求を満たすためには、表示対象物の画像を立体的に表示して、加筆修正箇所の特定や真贋判定を容易にすることが考えられる。なお、表示対象物の画像を立体的に表示する技術そのものは、例えば、特許文献１に記載されている。
【特許文献１】特開２００４―０６２６７１号公報
【発明の開示】
【発明が解決しようとする課題】
【０００４】
上述したように、表示対象物の画像を立体的に表示する技術そのものは、既に提案されている。しかし、ｅ文書法に対応させて、具体的にどのような立体情報を、どのように抽出（読取）し、どのように表示すると、加筆修正箇所の特定や真贋判定などの効率が向上するのかと言った観点から提案された技術は存在しなかった。
【０００５】
本発明の目的は、ｅ文書法に対応し、電子化された税務帳票などの、加筆修正箇所の特定や真贋判定などの効率を向上させることができる画像表示システム及び方法、画像読取装置、画像表示プログラム及び記憶媒体を提供することにある。
【課題を解決するための手段】
【０００６】
上記目的を達成するために、請求項１記載の画像表示システムは、画像読取装置とホスト装置が接続され、前記画像読取装置の２本の原稿照明ランプの光量バランスが同等の第１の照明モードをセットする第１の照明モードセット手段と、前記画像読取装置の前記２本の原稿照明ランプの光量バランスが異なる第２の照明モードをセットする第２の照明モードセット手段と、前記第１、第２の照明モードセット手段で読み取った画像の差分から原稿の立体情報を抽出するための差分演算手段と、抽出された前記立体情報を伝送する伝送手段と、原稿画像とともに前記立体情報を強調表示する立体情報強調表示手段とを備えたことを特徴とする。
【０００７】
請求項２記載の画像読取装置は、請求項１記載の画像表示システムを構成し、前記第１の照明モードセット手段と、前記第２の照明モードセット手段と、前記差分演算手段と、前記伝送手段とを備えることを特徴とする。
【０００８】
請求項３記載の画像表示方法は、画像読取装置の２本の原稿照明ランプの光量バランスが同等の第１の照明モードをセットする第１の照明モードセットステップと、前記画像読取装置の前記２本の原稿照明ランプの光量バランスが異なる第２の照明モードをセットする第２の照明モードセットステップと、前記第１、第２の照明モードセット手段で読み取った画像の差分から原稿の立体情報を抽出するための差分演算ステップと、抽出された前記立体情報を伝送する伝送ステップと、原稿画像とともに前記立体情報を強調表示する立体情報強調表示ステップとを備えたことを特徴とする。
【０００９】
請求項４記載の画像表示プログラムは、画像読取装置の２本の原稿照明ランプの光量バランスが同等の第１の照明モードをセットする第１の照明モードセットモジュールと、前記画像読取装置の前記２本の原稿照明ランプの光量バランスが異なる第２の照明モードをセットする第２の照明モードセットモジュールと、前記第１、第２の照明モードセット手段で読み取った画像の差分から原稿の立体情報を抽出するための差分演算モジュールと、抽出された前記立体情報を伝送する伝送モジュールと、原稿画像とともに前記立体情報を強調表示する立体情報強調表示モジュールとをコンピュータに実行させることを特徴とする。
【００１０】
請求項５記載のコンピュータ読み取り可能な記憶媒体は請求項４記載の画像表示プログラムを格納する。
【発明の効果】
【００１１】
本発明によれば、画像読取装置の２本の原稿照明ランプの光量バランスが同等の第１の照明モードをセットするとともに、画像読取装置の２本の原稿照明ランプの光量バランスが異なる第２の照明モードをセットする。そして、第１、第２の照明モードセットで読み取った画像の差分から原稿の立体情報を抽出し、抽出された立体情報を原稿画像とともに強調表示する。
【００１２】
従って、立体情報の視認性が高まり、ｅ文書法に対応し、電子化された税務帳票などの、加筆修正箇所の特定や真贋判定などの効率を向上させることができる。
【発明を実施するための最良の形態】
【００１３】
以下、本発明の実施の形態を図面を参照しながら詳細に説明する。
【００１４】
図１は、本発明の第１の実施の形態に係る画像表示システムの構成を概略的に示す図である。
【００１５】
図１において、画像表示システムは、画像読取装置１００とホスト装置１１０とが接続されることで構成される。画像読取装置１００は、上面にプラテンガラス１０１を備え、内部に画像読取部１０２を備え、底部に画像処理部（基板）１０３を備え、また、プラテンガラス１０１の端部に白色基準板１０４を、上部に圧板１０５を備える。プラテンガラス１０１の上に載置される原稿１０６は、圧板１０５で押圧されプラテンガラス１０１に密着される。
【００１６】
画像読取部１０２は速度Ｖで副走査することによって原稿１０６を電子的に読み取る。その構成は後述する。白色基準板１０４は、原稿を読み取る際、シェーディング補正を行うのに使用する。画像処理部１０３の構成も後述する。ホスト装置１１０は、ＵＳＢ、イーサネット(登録商標)などの標準的インタフェースで画像読取装置１００と接続される。
【００１７】
図２は、図１における画像読取部の第１の構成例を示す図である。
【００１８】
図２は、画像読取部を装置手前側から見た図であり、主走査方向全域を読み取れるように、図の鉛直方向に延びる構成となっている。
【００１９】
図２において、原稿照明ランプは２本あり、第１の原稿照明ランプ２０１は左側から、第２の原稿照明ランプ２０２は右側から、ロッドレンズアレー２０３で読み取っているラインの両側から原稿１０６を照明するように構成されている。ロッドレンズアレー２０３の下方には、基板２０４が配置され、その中央にあってロッドレンズアレー２０３の直下には、イメージセンサ２０５が設けられる。これら全要素は樹脂筐体２０６で１体に形成されている。
【００２０】
第１の原稿照明ランプ２０１及び第２の原稿照明ランプ２０２は、片方の光量を消すか、または調光可能として、光量バランスを異ならせるように構成される。水銀蛍光管で原稿照明ランプを構成すれば調光は容易であり、キセノンランプで原稿照明ランプを構成すれば１般的にオン／オフ制御のみとなる。原稿の光学情報はロッドレンズアレー２０３を介して、基板２０４上に実装されたイメージセンサ２０５に結像され、電子情報に変換される。
【００２１】
図３は、図１における画像読取部の第２の構成例を示す図である。
【００２２】
図３は、画像読取部１０２を、公知の縮小２対１光学系とした場合の構成を示している。
【００２３】
図３において、画像読取部１０２は、第１のミラー台３０１、第２のミラー台３０２、縮小結像レンズ３０３及びイメージセンサ３０４を備える。
【００２４】
第１のミラー台３０１は、第１の原稿照明ランプ３０５、第２の原稿照明ランプ３０６及びミラー３０７を備える。第２のミラー台３０２はミラー３０８、３０９を備える。第１のミラー台３０１は、読み取った光情報の光路３１０を挟んで、左側から第１の原稿照明ランプ３０５、右側から第２の原稿照明ランプ３０６で原稿１０６を照明する。
【００２５】
第１の原稿照明ランプ３０５及び第２の原稿照明ランプ３０６は、片方の光量を消すか、または調光可能として、光量バランスを異ならせるように構成される。
【００２６】
原稿１０６を読み取った光学情報は、第１のミラー台３０１上のミラー３０７、第２のミラー台３０２上のミラー３０８、３０９を介し、縮小結像レンズ３０３でイメージセンサ３０４上に結像される。第１のミラー台３０１は副走査速度Ｖで移動し、第２のミラー台３０２はＶ／２の速度で移動することで、プラテンガラス１０１上の原稿１０６が読み取られる。
【００２７】
図４は、図１における画像読取部の第３の構成例を示す図である。
【００２８】
図４において、原稿照明ランプは２本あり、第１の原稿照明ランプ４０１は左側から、第２の原稿照明ランプ４０２は右側から、ロッドレンズアレー４０３で読み取っているラインの両側から原稿１０６を照明するように構成されている。ロッドレンズアレー４０３の下方には、基板４０４が配置され、その中央にあってロッドレンズアレー４０３の直下には、イメージセンサ４０５が設けられる。これら全要素は樹脂筐体４０６で１体に形成されている。
【００２９】
第１の原稿照明ランプ４０１及び第２の原稿照明ランプ４０２は、片方の光量を消すか、または調光可能として、光量バランスを異ならせるように構成される。原稿照明ランプは、透明アクリル樹脂からなる導光体とその端部から光を入射させるように実装したＬＥＤから構成されており、ＬＥＤの点灯デューティを制御することで、光量バランスを異ならせることはいかようにも可能である。原稿の光学情報はロッドレンズアレー４０３を介して、基板４０４上に実装されたイメージセンサ４０５に結像され、電子情報に変換される。
【００３０】
図５は、図１における画像処理部の構成を概略的に示す図である。
【００３１】
図５において、画像処理部１０３は、ＣＰＵなどから構成される制御部５０１と、画像読取部１０２の原稿照明ランプを制御する照明制御部５０２とを備える。
【００３２】
制御部５０１からの制御信号５０３に従って照明制御部５０２は動作する。照明制御部５０２は、２本ある原稿照明ランプの１方をオン／オフ、または調光する第１の信号５０４と、もう１方をオン／オフ、または調光する第２の信号５０５を出力する。
【００３３】
図６は、図１の画像表示システムによって実行される画像表示処理の手順を示すフローチャートである。
【００３４】
本処理は、図５の画像処理部における制御部５０１と照明制御部５０２とによって実行される。
【００３５】
図６において、まず、ホスト装置１１０から基本画像情報を読み取るとともに、立体情報を表示するモードを指定する（ステップＳ１０１）。次いで、第１の照明モードをセットする（ステップＳ１０２）（第１の照明モードセット手段）。第１の照明モードでは、２本の原稿照明ランプの光量をおおよそ同等にするように制御する。
【００３６】
第１の照明モードにおいて、白色基準板１０４を用いて公知のシェーディング補正を行った後、原稿画像を読み取る（ステップＳ１０３）。図１ではプラテンガラス１０１上の原稿１０６を１回読み取る。
【００３７】
次いで、第２の照明モードをセットする（ステップＳ１０４）（第２の照明モードセット手段）。第２の照明モードでは、２本の原稿照明ランプの光量バランスを不均等にするように制御する。第２の照明モードにおいて、白色基準板１０４を用いて公知のシェーディング補正を行った後、原稿画像を読み取る（ステップＳ１０５）。図１ではプラテンガラス１０１上の原稿１０６をもう１回読み取る。
【００３８】
第１の照明モードで読み取った画像と第２の照明モードで読み取った画像との差分を演算で求める（ステップＳ１０６）（差分演算手段）。この差分が立体情報（立体画像）である。立体情報には、原稿の影、皺、絹目などがある。得られた立体情報をフラグ情報としてコード化する（ステップＳ１０７）。
【００３９】
ＵＳＢ、イーサネット(登録商標)等の標準インタフェースを介して、画像読取装置１００からホスト装置１１０へ、基本画像（基本情報）とコード化されたフラグ情報を伝送する（ステップＳ１０８）（伝送手段）。フラグ情報をデコードする（ステップＳ１０９）。基本画像をホスト装置１１０のモニター画面に表示するとともに（ステップＳ１１０）、立体情報を、基本画像とともに例えば赤く表示するなど強調表示し（ステップＳ１１１）（立体情報強調表示手段）、本処理を終了する。
【００４０】
なお、第１の照明モードに対し、第２の照明モードのほうが原稿の照明光量は少なくなるが、シェーディング補正を行うことで、両モードで読み取り白レベルが同等になるように制御される。
【００４１】
図６の処理によれば、第１の照明モードで読み取った画像と第２の照明モードで読み取った画像との差分を演算で求めて（ステップＳ１０６）立体情報を抽出し、ホスト装置１１０のモニター画面に立体情報を基本画像とともに強調表示する（ステップＳ１１１）。このことで、電子化された税務帳票などの、加筆修正箇所の特定や真贋判定などの効率を向上させることができる。
【００４２】
図７は、図６における差分演算処理による原稿の立体情報抽出を説明する図である。
【００４３】
図７において、（ｂ）は、左側の原稿照明ランプをオン、右側の原稿照明ランプをオンした時の状態を説明している。すなわち、原稿１０６上に貼り付けた名刺の左側に影が消えている。これが第１の照明モードである。原稿の皺や絹目、貼り込み原稿の影などなく美しく読み取ることができる。
【００４４】
（ａ）は、左側の原稿照明ランプをオフ、右側の原稿照明ランプをオンした時の状態を説明している。すなわち、原稿上１０６に貼り付けた名刺の左側に影ができている。
これが第２の照明モードであり、原稿の皺や貼り込み、修正痕などをリアルに読み取ることができる。影があることで立体感が増している。
【００４５】
（ａ）から（ｂ）を減算した差分が（ｃ）であり、影の部分だけが抽出される。この影の部分だけを２値の情報などにコード化すると立体情報となる。
【００４６】
図８は、図６における立体情報強調処理による原稿の立体情報強調表示を説明する図である。
【００４７】
図８において、貼り込んだ名刺を使用して説明する。（ｂ）が基本画像であり、第１の照明モードで読み取った画像である。第１の照明モードでは影は発生しない。（ａ）が第１の照明モードと第２の照明モードで読み取った画像の差分であり、影の部分が黒く差分として得られる。この影の部分をフラグ情報としてコード化して立体情報とし、基本画像にこの立体情報を添付して、ホスト装置１１０に伝送する。
【００４８】
ホスト装置１１０のモニター画面上には、（ｃ）に示すように両者を合体表示する。影の部分である立体情報は、例えば赤く表示して強調することができる。このようにすることで、原稿の立体情報として得られる影、皺、絹目、修正痕などが強調表示されることになり、領収書などの税務帳票の真贋判定、偽造発見をサポートすることができる。
【００４９】
なお、上述した実施の形態では、基本画像は、２本の照明をおよそ同等の光量で照明して影を消すように構成し、立体画像のほうを２本の照明のバランスを崩して影が出るように構成した。
【００５０】
しかし、基本画像と立体情報の左右逆の照明を強く点灯するように、基本画像と立体情報の双方を、照明のバランスを崩して読み取るようにしても影が両方に発生するようになる。
【００５１】
図９は、本発明の第２の実施の形態に係る画像表示システムの構成を概略的に示す図である。
【００５２】
図９において、画像読取装置本体１００ａは、上面にプラテンガラス１０１を備え、内部に第１の画像読取部１０２ａを備え、底部に画像処理部（基板）１０３を備える。また、プラテンガラス１０１の端部に白色基準板１０４を、白色基準板１０４の側方に流し読みガラス１０７を備える。第１の画像読取部１０２ａは流し読みガラス１０７の直下に配置される。
【００５３】
画像読取装置本体１００ａの上部には、画像読取装置本体１００ａとともに画像読取装置を構成する自動原稿供給装置１００ｂを搭載する。自動原稿供給装置１００ｂは、原稿載置部１２０、第２の画像読取部１０２ｂ、排紙部１２１を備える。
【００５４】
原稿１０６は原稿載置部１２０に載置され、紙パス１２２に沿って搬送され、排紙部１２１に排紙される。その途中に第２の画像読取部１０２ｂが配置される。
【００５５】
本実施の形態の特徴は、第１の画像読取部１０２ａで基本画像を流し読みし、第２の画像読取部１０２ｂで立体情報を流し読みすることで、２回スキャンすることなく立体情報を読み取ることができ、生産性が高くなるという点にある。
【００５６】
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００５７】
この場合、記憶媒体から読み出されたプログラムコード自体が前述した実施の形態の機能を実現することになり、そのプログラムコード及び該プログラムコードを記憶した記憶媒体は本発明を構成することになる。
【００５８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００５９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の１部または全部を行い、その処理によって前述した実施の形態の機能が実現される場合も含まれる。
【００６０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の１部または全部を行い、その処理によって前述した実施の形態の機能が実現される場合も含まれる。
【図面の簡単な説明】
【００６１】
【図１】本発明の第１の実施の形態に係る画像表示システムの構成を概略的に示す図である。
【図２】図１における画像読取部の第１の構成例を示す図である。
【図３】図１における画像読取部の第２の構成例を示す図である。
【図４】図１における画像読取部の第３の構成例を示す図である。
【図５】図１における画像処理部の構成を概略的に示す図である。
【図６】図１の画像表示システムによって実行される画像表示処理の手順を示すフローチャートである。
【図７】図６における差分演算処理による原稿の立体情報抽出を説明する図である。
【図８】図６における立体情報強調処理による原稿の立体情報強調表示を説明する図である。
【図９】本発明の第２の実施の形態に係る画像表示システムの構成を概略的に示す図である。
【符号の説明】
【００６２】
１００  画像読取装置
１０２  画像読取部
１０３  画像処理部
１１０  ホスト装置
２０１、３０５、４０１  第１の原稿照明ランプ
２０２、３０６、４０２  第２の原稿照明ランプ
５０１  制御部
５０２  照明制御部
【図１】
2007288580.tif 000003
【図２】
2007288580.tif 000004
【図３】
2007288580.tif 000005
【図４】
2007288580.tif 000006
【図５】
2007288580.tif 000007
【図６】
2007288580.tif 000008
【図７】
2007288580.tif 000009
【図８】
2007288580.tif 000010
【図９】
2007288580.tif 000011